(57)【特許請求の範囲】
【請求項１】
精白室に連通するホッパと；該ホッパに出し入れ自在に設けられ、かつ、該ホッパの出口に接続可能な排出口を有する補助ホッパと；を備えていることを特徴とする一回通し式精米機。
【請求項２】
補助ホッパの保持手段が設けられていることを特徴とする請求項１記載の一回通し式精米機。
【請求項３】
補助ホッパのガイド手段が設けられていることを特徴とする請求項１又は２記載の一回通し式精米機。
【請求項４】
補助ホッパの保持手段が、ホッパの出口近傍に形成した十字状の保持リブであることを特徴とする請求項２記載の一回通し式精米機。
【請求項５】
補助ホッパのガイド手段が、補助ホッパ出口のガイド溝と、該ガイド溝に挿着される保持リブのガイド部と、からなることを特徴とする請求項３記載の一回通し式精米機。
【発明の詳細な説明】
【０００１】
【発明の属する技術分野】
この発明は、一般家庭などで用いられている一回通し式精米機に関するものである。
【０００２】
玄米を精白した後、長時間保存しておくと、白米に付着している糠が酸化し、食味が落ちてしまう。
そこで、卓上精米機で精米するときには、白米の保存時間をなるべく短くするため、該卓上精米機のホッパに張られている玄米、例えば、５ｋｇ、全部精米せずに、必要量、例えば、１ｋｇだけ精米を行う様にしている。
前述の様に、一般家庭では、前記ホッパに一杯の玄米を張り、該ホッパを玄米貯蔵庫として利用している。
【０００３】
前記卓上精米機として、一回通し式精米機が用いられるが、この精米機は玄米が精白室内を一回通過するだけで、所望の精白室に仕上げられる。
【０００４】
ところが一回で所望の精白度に仕上げると、砕米率が高く、歩留まりが悪く、精白度も好ましくない。
そこで、１回に白米にしないで、例えば７分搗きで２回精白室を通過させ、所望の精白度を得る方法が採用されている。
【０００５】
【発明が解決しようとする課題】
ところが、前述の様にホッパを玄米貯蔵庫代わりに利用している場合には、張られている玄米の一部のみを精米し、その精米した白米を更に該ホッパに投入して二回目の精白をしようとしても、ホッパ内には玄米が残っているので、これを除去した後でないと、二回搗きはできない。
しかし、この玄米の除去作業は面倒であり、労力もかかるので実際上無理である。従って、卓上精米機のホッパを玄米貯蔵庫に利用している場合には、所望量の玄米だけを二回搗きすることは困難である。
【０００６】
又、ホッパに張っている玄米と異なる種類の玄米、例えば、餅米を急に精米する必要が生じた場合にも、ホッパ内の玄米を取り出した後、餅米を精米しなければならない。しかし、この玄米の除去作業は面倒であり、労力もかかるので実際上無理である。従って、卓上精米機のホッパを玄米貯蔵庫に利用している場合には、異種の玄米の割り込み精米は困難である。
【０００７】
この発明は、上記事情に鑑み、ホッパ内に玄米を張った状態においても二回搗きや割り込み精米ができる様にすることを目的とする。
【０００８】
この発明は、精白室に連通するホッパと、該ホッパに出し入れ自在に設けられ、かつ、該ホッパの出口に接続可能な排出口を有する補助ホッパと、を備えていることを特徴とする一回通し式精米機、である。
【０００９】
【発明の実施の形態】
精白室に連通するホッパに玄米を投入し、その一部を精白室を通して精米し、所望量の白米を得る。その後ホッパ内に補助ホッパを挿入し、前記ホッパの出口と該補助ホッパの排出口とを接続する。該補助ホッパに前記精米した白米を投入し、精白室を通して所謂二回搗きした後、該補助ホッパをホッパの外部に取り出す。
【００１０】
又、精白室に連通するホッパに玄米を投入する。このホッパ内に補助ホッパを挿入し、ホッパの出口と補助ホッパの排出口と接続する。該補助ホッパに異なる種類の玄米、例えば、餅米を投入し、所謂割り込み精米をする。
【００１１】
補助ホッパは、保持手段により支持される。この保持手段として、例えば、十字状のリブが用いられるが、必ずしもこれに限定されるものではない。
又、補助ホッパの排出口にガイドを設け、ホッパの出口と接続しやすくする。このガイドとしてガイド溝が用いられるが、必ずしもこれに限定されるものではない。
【００１２】
【実施例】
この発明の実施例を図１〜図６により説明する。
ホッパ１の出口２は、落下樋３を介して精白室４に連通している。このホッパは逆台形錐状に形成されているが、その形状は必要に応じて適宜選択される。また、ホッパ１の出口２は、略正方形状に形成され、その一辺の長さはＤであるが、その形状等は、特に限定されるものではなく、例えば、円形状に形成してもよい。
【００１３】
このホッパ１の各傾斜壁面１ａ〜１ｄには、出口２の中心に向かって伸びる保持リブ１０〜１３が設けられ、これらの保持リブ１０〜１３は全体として十字形状となっている。
【００１４】
横保持リブ１０、１２は、保持部１０ａ、１２ａとガイド部１０ｂ、１２ｂとを備え、ガイド部１０ｂ、１２ｂは出口２に臨んでいる。
縦保持リブ１１、１３は保持部１１ａ、１３ａを備えているが、その先端は出口２から離れている。前記保持部１０ａ〜１３ａの先端は、補助ホッパ２０の排出口２３の外径ｄより大きな円上に位置している。
【００１５】
補助ホッパ２０は、ホッパ１より小容積であり、例えば、２ｋｇの白米しか収納できない。このホッパ２０は、直筒部２１と円錐台状部２２とを備えている。直筒部２１の上端部には、持ちやすくするために、フランジ２１ａが設けられている。
【００１６】
円錐台状部２２は、白米の詰まりを防止するため、傾斜角度が小さく、例えば、３０度に形成されている。この円錐台状部２２の下部には、排出口２３が設けられている。この排出口２３の外径ｄ及び内径ｄ1は必要に応じて適宜選択されるが、いずれにしても、該排出口２３を出口２１に接続した場合、ホッパ１内の玄米が出口２内に流入しない様に構成されている。
排出口２３には、ガイド溝２３ａが形成されているが、このガイド溝23ａは前記横保持リブ１０、１２のガイド部１０ｂ、１２ｂを挿入できる様に形成されている。
【００１７】
次に、本発明の実施例を説明する。まず、初めに二回搗きについて説明する。
玄米Ｇをホッパ１に５ｋｇ張り込んでおく。７分搗きになる様に抵抗装置３０を調整した後、モータ３１を駆動し、ベルト３２を介して精白ロール３６を回転させると、玄米Ｇは精白されながら精白室３７内を通り、白米Ｗ1となって白米排出樋４０に落下する。精白室３７の除糠金網から落下する糠Ｎは、糠ホッパ４２を介して糠容器４３内に流下する。
【００１８】
白米容器４１に所望量、例えば、７５０ｇの白米Ｗ1が収納された時点で、図１に示す様に、補助ホッパ２０をホッパ１内に挿入し、排出口２３をホッパ１の出口２に接続するとともに、補助ホッパ２０の円錐台状部２２を保持部１０ａ、１１ａ、１２ａ、１３ａで保持する。
【００１９】
この時、排出口２３のガイド溝２３ａを横保持リブ１０、１２のガイド部１０ｂ、１２ｂに嵌合させると、自動的に位置合わせができるので、両口２、２３の接続は容易となる。
【００２０】
白米容器４１をケーシング４５から抜き出してホッパ１の上部に移動し、白米Ｗ1を補助ホッパ２０内に投入する。
空になった白米容器４１は元の位置に戻す。白米Ｗ1は再び精米されながら精米室３７内を通り白米Ｗ2となって白米排出樋４０に落下し、白米容器４１内に流下する。
【００２１】
補助ホッパ２０内の白米Ｗ1がなくなり、二回搗きが完了した時点でモータ３１を止め、補助ホッパ２０をホッパ１から抜き出し保管する。
【００２２】
次にホッパ１に張り込んだ玄米と異なる種類の玄米、例えば、餅米を精米する場合、所謂割り込み精米について説明する。
補助ホッパ２０をホッパ１内に挿入し、排出口２３をホッパ１の出口２に接続するとともに、補助ホッパ２０の円錐台状部２２を保持部１０ａ、１１ａ、１２ａ、１３ａで保持する。
【００２３】
白米容器４１内が空であることを確認した後、補助ホッパ２０内に餅米を投入する。モータ３０を駆動し精白ロール３６を回転させると、該餅米は精白されながら精白室３７を通り白米容器４１内に落下する。この様に、ホッパ１に玄米Ｇを張り込んだ状態で、餅米のみの精米をすることができる。
【００２４】
補助ホッパ２０内の餅米がなくなり、精米が完了したら、モータ３１を止め補助ホッパ２０をホッパ１から抜き出し保管する。
【００２５】
この発明の実施例は、上記に限定されるものではなく、例えば、補助ホッパの保持手段として、補助ホッパの上部を支持材によりホッパのフランジに固定する様にしてもよい。
【０００２６】
【発明の効果】
この発明は、以上のように構成したので、ホッパ内に玄米が張られている状態で、二回搗きや割り込み精米を行うことができる。
【図面の簡単な説明】
【図１】本発明の実施例を示す縦断面図である。
【図２】補助ホッパの縦断面図である。
【図３】補助ホッパの斜視図の一部を示す図である。
【図４】ホッパ内の玄米を省略した状態における図１のIV-IV線拡大断面図の一部である。
【図５】補助ホッパ装着前の精米機の縦断面図である。
【図６】図５の玄米を省略した状態におけるホッパの平面図である。
【符号の説明】
１        ホッパ
２        出口
１０        保持リブ
１１        保持リブ
１２        保持リブ
１３        保持リブ
２０        補助ホッパ
２３        排出口
【図１】
0003812105.tif 000002
【図２】
0003812105.tif 000003
【図３】
0003812105.tif 000004
【図４】
0003812105.tif 000005
【図５】
0003812105.tif 000006
【図６】
0003812105.tif 000007